(57)【要約】【課題】既設の空気浄化装置を改変することなく放射性気体分の捕集除去作用を付設する放射性気体の吸着用フィルター装置。【解決手段】空調施設の気体処理経路中に介在される空気浄化装置１０に、比較的大型の粗塵除去を行うプレフィルター１１よりもより高い塵埃除去を行う高性能フィルター１２と、繊維状活性炭により編組されたシート状チャコールフィルター１３とを一体的に組み合わせた塵埃兼放射性気体の吸着用フィルター装置１４を出し入れ可能に内蔵形成する。【選択図】  図１
2004191347.tif 000002
【特許請求の範囲】
【請求項１】
空調施設の気体処理経路中に介在される空気浄化装置において、比較的大型の粗塵除去を行うプレフィルターよりもより高い塵埃除去を行う高性能フィルターと、繊維状活性炭により編組されたシート状チャコールフィルターとを一体的に組み合わせて塵埃兼放射性気体の吸着用フィルター装置を形成し、この吸着用フィルター装置は上記高性能フィルターと上記シート状チャコールフィルターとが一体の状態で同一のフィルター用収納部に出し入れ可能に内蔵されることを特徴とする放射性気体の吸着用フィルター装置。
【請求項２】
フィルター用収納部は、既設の高性能フィルターを内蔵するフィルター用収納部であることを特徴とする請求項１記載の放射性気体の吸着用フィルター装置。
【請求項３】
高性能フィルターは０．３μ粒子に対して最低９９．９７％の捕集効率が確保されると共に、シート状チャコールフィルターは比表面積が１０００〜２０００ｍ２／ｇでその孔径は５〜１００Åの範囲である活性炭化され繊維状のフィルターであることを特徴とする請求項１記載の放射性気体の吸着用フィルター装置。
【請求項４】
繊維状活性炭により編組されたシート状チャコールフィルターは、織布状，不織布状などとされることを特徴とする請求項１又は３記載の放射性気体の吸着用フィルター装置。
【発明の詳細な説明】
【０００１】
【発明の属する技術分野】
この発明は、医療施設や原子力施設などで発生した放射性気体分の捕集除去作用を、特に既設の空気浄化装置を改変することなく付設するのに好適な放射性気体の吸着用フィルター装置に関するものである。
【０００２】
【従来の技術】
従来、医療施設や原子力施設などにおいては、放射性ヨウ素などの放射性気体が排出されるため、空調施設の気体処理経路中に空気浄化装置を設置し、発生した放射性気体分の濃度を法律に規制された基準値以下に低下させた後、施設外に排出している。
【０００３】
近年は、原子力技術の利用の高まりから、大学の研究施設や医療施設あるいは原子力発電所などにおいて排出される放射性気体量も増加する傾向にあり、また、環境面への配慮からも、大気中に排出される放射性気体の濃度の規制が一段と厳しく設定されてきている。
【０００４】
このため、設置されている空気浄化装置の見直しが図られてきているが、放射性気体の濃度の規制の厳格化が図られると、既設の空気浄化装置を取り替えたり改変したりしなければならないという事態が生じる。そのような事態に鑑みて、本願出願人は、既設の空気浄化装置を著しく軽量化すると共に、新設の空気浄化装置に交換したりしなくてすむ放射性気体の吸着用フィルター装置を、先に特願２００１−３０８０５１として提案している。
【０００５】
一般的に、放射性気体の空気浄化装置は、図４に示すように構成されている。すなわち、空気浄化装置１の吸入口側に比較的大型の粗塵の除去を行うプレフィルター４が配置され、その後段により高い塵埃除去を行う高性能フィルター（ＨＥＰＡフィルター）５が配備され、高性能フィルター５の後段に放射性気体の捕集除去を行うチャコールフィルター６が配備される。図中４ａ，５ａ，６ａは開閉扉である。
【０００６】
また、従来のチャコールフィルター６は、図７に例示したように、粉状あるいは粒状の活性炭６ａ・・・が枠体８ａ内の波形の仕切り壁６ｂ，６ｂ中に詰め合わされ、吸着用フィルター装置８が形成されているが、本願出願人の提案した特願２００１−３０８０５１では、図８に例示したように、粉状あるいは粒状の活性炭６ａによるものではなく、繊維状活性炭により形成された波形のシート状チャコールフィルター６ｃとされている。
【０００７】
これにより、図７に例示した従来の放射性気体の吸着用フィルター装置８の持つ欠点、すなわちチャコールフィルター６が重量物となり、また、これを支えるハウジング８もチャコールフィルター６の重量を支えられる剛性の厚手の鉄板などにより形成されるなどの欠点が解消され、装置の著しい軽量化を図ることができるようになった。
【０００８】
さらに、放射性気体分の捕集除去能力を持たない空気浄化装置に対して、充分な捕集除去能力を付加する場合には、既存の空気浄化装置に対しても放射性気体分の捕集除去用チャコールフィルター６を、高性能フィルター５の後段に後付けで取り付けるか、新たな装置に交換しなければならない。このような、ニーズに対応するために先の出願では、図５に示したようにして対応している。
【０００９】
すなわち、高性能フィルター５は、下部乗せ板と側板とよりなる支持板１ｃに挟持され、上下動機構７の回転ハンドル７ａにより通常は上方に持ち上げられ、上部仕切り板１ｂに上部周縁がパッキン５ａを介して密着され気密されている。そして、チャコールフィルター６の左右側には、高性能フィルター５の上下動機構７の下部７ｃに掛り止められる係合部６ａを設け、上下動機構７の動作に伴ってチャコールフィルター６が高性能フィルター５の後段に配備されるように構成されている。７ｂは、上下動用の伸縮軸である。
【００１０】
図６は、チャコールフィルター６が、高性能フィルター５に伴って下方向に下降された状態を示している。なお、この上下動機構７の構成は、上記したような作用をなすものであれば周知の技術手段を採用し、また、適宜設計変更が可能である。したがって、詳細な説明と図示は省略をする。
【００１１】
これにより、既設の空気浄化装置１において高性能フィルター５の後段にチャコールフィルター６が配置されていない場合でも、空気浄化装置１内の排気口３側の未利用スペースに、繊維状活性炭により編組されたシート状チャコールフィルター６を容易に新設配置することができることとなった。
【００１２】
【発明が解決しようとする課題】
ところで、放射性気体分の発生があまり高くない施設のチャコールフィルターを備えない空気浄化装置では、高性能フィルターの後段に高性能フィルターと協働するようにチャコールフィルターを後付ける方式を提案し、既設の空気浄化装置を新たな高性能の空気浄化装置に交換することなく放射性気体分の捕集除去作用を付加する方式を提案している。
【００１３】
しかしながら、このような後付け方式でも上下動機構の動作に伴ってチャコールフィルターが高性能フィルター５の後段で協働するような後付けのための多少の改変を行わなければならなかった。このため、さらなる研究を行い、既設の空気浄化装置を何ら改変することなく、放射性気体分の捕集除去作用を付加することができる吸着用フィルター装置を提供するものである。
【００１４】
この発明は、上記のような事情に鑑みてなされたものであり、その目的とするところは、放射性気体分の捕集除去を行う空気浄化装置の軽量化が図られると共に、既存の空気浄化装置に対しても新たに装置を交換したりあるいは改変したりすることなく、放射性気体分の捕集除去作用を付加することが可能な吸着用フィルター装置を提供することにある。
【００１５】
【課題を解決するための手段】
この発明は、上記のような目的を違成するために、放射性気体の処理方法としては、請求項１記載のように、空調施設の気体処理経路中に介在される空気浄化装置において、比較的大型の粗塵除去を行うプレフィルターよりもより高い塵埃除去を行う高性能フィルターと、繊維状活性炭により編組されたシート状チャコールフィルターとを一体的に組み合わせて塵埃兼放射性気体の吸着用フィルター装置を形成し、この吸着用フィルター装置は上記高性能フィルターと上記シート状チャコールフィルターとが一体の状態で同一のフィルター用収納部に出し入れ可能に内蔵されることを特徴とする。また、請求項２記載のように、フィルター用収納部は、既設の高性能フィルターを内蔵するフィルター用収納部であることを特徴とする。また、請求項３記載のように、高性能フィルターは０．３μ粒子に対して最低９９．９７％の捕集効率が確保されると共に、シート状チャコールフィルターは比表面積が１０００〜２０００ｍ２／ｇでその孔径は５〜１００Åの範囲である活性炭化され繊維状のフィルターであることを特徴とする。また、請求項４記載のように、繊維状活性炭により編組されたシート状チャコールフィルターは、織布状、不織布状、ハニカム状、ペーパー状などとされることを特徴とする。
【００１６】
【発明の実施の形態】
以下、この発明の実施例を図面に基づき詳細に説明する。図１は、この発明に係る空気浄化装置の内部概略構造を示す説明図であり、図２は、放射性気体の吸着用フィルター装置の外観斜視図である。
【００１７】
図１に示すように、空調施設の気体処理経路中に介在される空気浄化装置１０は、吸入口１０ａ側に設けられているフィルター収納部１０ｃに、比較的大型の粗塵の除去を行うプレフィルター１１が配備されている。また、その後段に設けられているフィルター収納部１０ｄに、より高い除塵作用を果たす高性能フィルター（ＨＥＰＡフィルター）１２と、放射性気体の捕集除去を行うシート状チャコフィルター１３が配備されている。
【００１８】
具体的には、高性能フィルター１２はフィルター収納部１０ｄの約半分の高さ（１／２Ｄ）とされており、シート状チャコールフィルター１３もフィルター収納部１０ｄの約半分の高さ（１／２Ｄ）とされている。高性能フィルター１２とシート状チャコールフィルター１３は、パッキン１５を介して一体に組み合わされた放射性気体の吸着用フィルター装置１４として内蔵されている。なお、この吸着用フィルター装置１４は、従来のように重量物である鉄製などのような金属製でなく、軽量な木製などによりハウジングを形成している。
【００１９】
シート状チャコールフィルター１３は、従来のように粉状あるいは粒状の活性炭によるものではなく、繊維状活性炭によりシート状に編組されている。この種のフィルターの素材として好適なものは、商品名：活性炭素繊維ＫＦ（東洋紡績（株）製）などがある。活性炭素繊維ＫＦは、セルロース繊維を原料として製造される繊維状の活性炭とされ、比表面積が１０００〜２０００ｍ２／ｇと大きく、５〜１００Åの細孔が開設されており、簿いシート状でも微細な被吸着物質をほとんど完全に捕集除去することができ、吸着容量は粉状あるいは粒状の活性炭に比べても著しく大きい吸着素材である。
【００２０】
また、このシート状チャコールフィルター１３は、比表面積が１０００〜２０００ｍ２／ｇでその孔径は５〜１００Åの範囲として繊維状活性炭により編組されたシート状チャコールフィルターとされている。高性能フィルター１２は、ＤＯＰテスト法により０．３μ粒子に対して最低９９．９７％の捕集効率が確保されている。ＤＯＰテスト法とは、ＨＥＰＡフィルターの効率測定方法として用られているもので、一種の光散乱法に基づく方法で米国原子力委員会における基準要請に基づく。
【００２１】
なお、吸着用フィルター装置１４の一般的なものは、外寸は、Ｈ６１０ｍｍ，Ｗ６１０ｍｍ，Ｄ２９２ｍｍなどとされる。このとき必要な風量は３２．０ｍ３／ｍｉｎとされる。したがって、高性能フィルター１２は、例えば多風量ＨＥＰＡフィルターとされる日本エアーフィルター（株）製：商品名「クリーンワイド」や進和テック（株）製：商品名「アストロセル１」などの高性能フィルターを用いれば、Ｄ２９２ｍｍ×１／２のように従来の半分の寸法とされても、充分な処理能力を確保することができる。
【００２２】
このように、上記した実施例によれば、空調施設の気体処理経路中の既設のフィルター収納部に、高性能フィルター１２と繊維状活性炭により編組されたシート状チャコールフィルター１３とを一体的に組み合わせた塵埃兼放射性気体の吸着用フィルター装置１４として介在するように構成されているので、粉状あるいは粒状の活性炭を用いる従来のものに比して、著しく軽量化を図ることができる。また、高い捕集除去作用を得ると共に、取り扱い性の向上、コストの低減化を図ることができる。
【００２３】
同時に、塵埃兼放射性気体の吸着用フィルター装置１４を、既存の空気浄化装置１０を何ら改変することなく既存のフィルター用収納部に組み込むだけで、放射性気体の捕集除去が可能な空気浄化装置１０とすることができ、放射性気体の吸着用フィルター装置１４の後付けを容易に行うことができ、コストの低減化を図りながら、大気中に排出される放射性気体分の濃度の低下を図り、規制が厳しく設定された場合でも規制に容易に追従することができる。
【００２４】
さらに、この放射性気体の吸着用フィルター装置１４は、従来に比して著しく小型化が図られるので、新設の場合でも従来に比して大幅な小スペース化を測ることができる。
【００２５】
なお、この種の空気浄化装置に対するシート状チャコールフィルター１３の配置は上記した以外に種々の配置が可能である。シート状チャコールフィルター１３は、粉末あるいは粒状の活性炭を用いるのではなく、非粉末あるいは非粒状の活性炭化されたシート状のチャコールフィルターであればよい。
【００２６】
【発明の効果】
以上説明したように、この発明によれば、放射性気体分の捕集除去を行う吸着用フィルター装置の軽量化を著しく図ると共に、取り扱い性の向上を図り、且つ、コストの低減化を図ることができ、また、既存の空気浄化装置に対しても既設の空気浄化装置を何ら改変することなく放射性気体分の捕集除去作用を付加することができる。
【図面の簡単な説明】
【図１】この発明に係る空気浄化装置の内部概略構造示す説明図である。
【図２】この発明に係る放射性気体の吸着用フィルター装置の外観斜視図である。
【図３】この発明に係る放射性気体の吸着用フィルター装置の内部構造の説明図である。
【図４】従来の放射性気体の吸着用空気浄化装置の内部構造を示す説明図である。
【図５】放射性気体の吸着用フィルター装置の後付けの内部構造を示す説明図である。
【図６】図５において上下動機構が下方側に作動した状態を示す説明図である。
【図７】粉状あるいは粒状の活性炭を用いたチャコールフィルターの１例を示す説明図である。
【図８】繊維状活性炭を編組したシート状チャコールフィルターの１例を示す説明図である。
【符号の簡単な説明】
１０  空気浄化装置
１１  プレフィルター
１２  高性能フィルター
１３  繊維状活性炭を編組したシート状チャコールフィルター
１４  塵埃兼放射性気体の吸着用フィルター装置
【図１】
2004191347.tif 000003
【図２】
2004191347.tif 000004
【図３】
2004191347.tif 000005
【図４】
2004191347.tif 000006
【図５】
2004191347.tif 000007
【図６】
2004191347.tif 000008
【図７】
2004191347.tif 000009
【図８】
2004191347.tif 000010